(57)【要約】      （修正有）【課題】改ざんを防止でき、スクラッチにより破損しないスクラッラベルと秘密情報担持カードを提供する。【解決手段】スクラッチラベル１０は、透明フィルム１の一方側面に、削り取り可能な隠蔽墨ベタインキ層と隠蔽銀インキ層とを順に積層し、透明フィルム１の他方側面に、粘着剤層を設けたスクラッチラベル１０において、透明フィルム１に改ざん防止を目的とし実質的な線幅を有しない屈曲した切り込み線２が少なくとも１本含まれるように形成すると共に、切り込み線の屈曲部に、０．４０〜０．５５ｍｍの長さのアンカット部３を１箇所形成した。秘密情報担持カードは、上記スクラッチラベルを被覆したカード。【選択図】図１
2016153858.tif 000002
【特許請求の範囲】
【請求項１】
透明フィルムの一方側面に、削り取り可能な隠蔽墨ベタインキ層と隠蔽銀インキ層とを順に積層し、前記透明フィルムの他方側面に、粘着剤層を設けたスクラッチラベルにおいて、前記透明フィルムに改ざん防止を目的とし実質的な線幅を有しない屈曲した切り込み線が少なくとも１本含まれるように形成すると共に、該切り込み線の屈曲部に、０．４０〜０．５５ｍｍの長さのアンカット部を１箇所形成したことを特徴とするスクラッチラベル。
【請求項２】
前記切り込み線が、打ち抜き刃により「Ｓ」字形状に成されたものであることを特徴とする請求項１記載のスクラッチラベル。
【請求項３】
前記「Ｓ」字形状が単位のスクラッチラベルに複数個形成されていることを特徴とする請求項１または請求項２記載のスクラッチラベル。
【請求項４】
秘密情報が印刷または印字されたカードの当該秘密情報の上に請求項１ないし請求項３の何れか１の請求項記載のスクラッチラベルが被覆されていることを特徴とする秘密情報カード。
【発明の詳細な説明】
【技術分野】
【０００１】
本発明は、スクラッチラベルと秘密情報カードに関する。詳しくは、スクラッチラベルの改ざん防止対策として行われるラベルの加工処理によって、スクラッチ時に破損しないようにしたスクラッチラベルと当該スクラッチラベルを秘密情報部に被覆した秘密情報カードに関するものである。
【背景技術】
【０００２】
ラベル表面の隠蔽層を爪やコイン等で削ると、隠蔽層で被覆された秘密情報が露出し、「当たり」、「外れ」等のくじの文字情報、あるいはクイズの解答を示す文字、記号、図形が確認できるスクラッチラベルが従来から知られている。
このスクラッチラベルは、一般的には透明フィルム面に隠蔽用の墨インキを印刷し、さらに当該墨インキ上にアルミニューム粉入りの銀インキを印刷した隠蔽フィルムを、粘着剤により秘密情報部に被覆する形態にされている。隠蔽用の墨インキや銀インキは柔軟な削り取り易いインキ層にされていて、爪やコイン等で引っ掻くことで容易に切削でき、秘密情報を露出できるものである。
【０００３】
図４は、従来からのスクラッチラベル付きカードを示す部分断面図である。
例えば、カード２０の表面に秘密情報５ｓが印字または印刷されている場合、秘密情報５ｓを隠蔽するために、スクラッチラベル１０が秘密情報５ｓの上に被覆される。
スクラッチラベル１０は、透明フィルム１に隠蔽用墨ベタインキ層７を形成し、さらにその上に、銀インキ層８が形成されている。墨ベタインキ層７と銀インキ層８により隠蔽層６が構成される。透明フィルム１の反対側面には、ほぼ透明な粘着剤層９が形成されていて秘密情報５ｓ面に密着するようにされている。
秘密情報５ｓを見るためには、爪やコイン１５を用いて隠蔽層６を切削すれば秘密情報５ｓが現れるというものである。
【０００４】
しかし、このような構成のスクラッチラベル１０は、透明フィルム１を粘着剤層９から剥離して秘密情報５ｓを盗み見し、あるいは改ざんしようとするものが現れる。粘着剤層９は注意深く扱えば、透明フィルム１と共に剥離できる場合があるからである。
そこで、この不正行為防止対策として、スクラッチラベル１０の透明フィルム１に切り込み線を入れておき、剥離しようとすればフィルムが破れる対策がされる場合がある。
【０００５】
図５は、従来の切り込み線入りスクラッチラベルの表面図である。
切り込み線２は、スクラッチラベル１０の少なくとも秘密情報５ｓ部分、通常は透明フィルム１のほぼ全面に形成する。このように切り込み線２を形成する場合には、ラベル自体が脆弱になるため、秘密情報５ｓを改ざんする目的等でフィルム１を剥離する場合は、フィルム１が材料破壊して破れ、元の状態には復元できなくなる。これにより改ざんを防止するものである。
切り込み線２は、直線状でも良いが、材料破壊を生じさせ易くするため、図５のように「Ｓ」字状等に屈曲した形状にされる場合が多い。このような切り込み線２は、エッチング刃の先端をさらに研削して先鋭化したピナクル刃でフィルムを打ち抜くことにより形成され、実質的な線幅を有しない切断された線である。
【０００６】
ところで、このように切り込み線２を入れたスクラッチラベル１０では、コイン１５等で隠蔽層６を切削すると、コイン１５が切り込み線２の屈曲部に引っかかり、材料破壊によりフィルム１を破るばかりでなく、ラベル下面の秘密情報５ｓである文字等をも削ってしまい秘密情報５ｓが識別できなくなる場合がある。
このようなスクラッチラベルでは、一般的な使用は難くなる。
そこで、本発明は、スクラッチラベルの透明フィルム１に切り込み線２を入れるが、切り込み線２にアンカット（非切断）部を設け、通常のスクラッチ動作では、透明フィルム１が破れないようにすることを課題とするものである。
【０００７】
本願に直接関連する先行技術文献は検出できないが、不正使用防止対策を施したスクラッチカードに関して特許文献１がある。また、スクラッチ用途ではないが、切込により改ざん防止を図ったラベルとして特許文献２がある。
【先行技術文献】
【特許文献】
【０００８】
【特許文献１】特開２０１４−  ６９３７０号公報
【特許文献２】特開２００８−１１６５３２号公報
【発明の概要】
【発明が解決しようとする課題】
【０００９】
コイン等で隠蔽層を切削して秘密情報を露出させる形態のスクラッチラベルであって、不正防止目的でラベルの構成層である透明フィルムに、切り込み線を形成するスクラッチラベルにおいて、コイン等で切削してもフィルムを破損し、さらに秘密情報を削り取るような状態を生じないスクラッチラベルを提供することを課題とする。
【課題を解決するための手段】
【００１０】
上記課題を解決する本発明のスクラッチラベルは、透明フィルムの一方側面に、削り取り可能な隠蔽墨ベタインキ層と隠蔽銀インキ層とを順に積層し、前記透明フィルムの他方側面に、粘着剤層を設けたスクラッチラベルにおいて、前記透明フィルムに改ざん防止を目的とし実質的な線幅を有しない屈曲した切り込み線が少なくとも１本含まれるように形成すると共に、該切り込み線の屈曲部に、０．４０〜０．５５ｍｍの長さのアンカット部を１箇所所形成したことを特徴とする。
【００１１】
上記において、前記切り込み線が、打ち抜き刃により「Ｓ」字形状に成されたものであって良く、前記「Ｓ」字形状が単位のスクラッチラベルに複数個形成されている、ようにしても良い。
【００１２】
本発明の秘密情報カードは、秘密情報が印刷または印字されたカードの当該秘密情報の上に請求項１ないし請求項３の何れか１の請求項記載のスクラッチラベルが被覆されていることを特徴とする。
【発明の効果】
【００１３】
本発明のスクラッチラベルは、スクラッチラベルを構成する透明フィルムに屈曲した切り込み線が形成されているが、該切り込み線の屈曲部にアンカット部を有するので、スクラッチラベルをコイン等で切削しただけでは透明フィルムが破れることはなく、秘密情報を破損することもない。
本発明の秘密情報カードは、秘密情報が改ざんされることがなく、スクラッチ時に秘密情報が損傷することもない。
【図面の簡単な説明】
【００１４】
【図１】スクラッチラベルの平面図である。
【図２】スクラッチラベルの断面図である。
【図３】切り込み線の例を示す図である。
【図４】従来からのスクラッチラベル付きカードを示す部分断面図である。
【図５】従来の切り込み線入りスクラッチラベルの表面図である。
【発明を実施するための形態】
【００１５】
以下、本発明の実施形態について、図面を参照して説明する。
図１は、スクラッチラベルの平面図である。
スクラッチラベル１０は、通常のスクラッチラベルと同様にカードや籤券の秘密情報５ｓを隠蔽できる大きさに形成されている。通常、長さＬは、３０〜５０ｍｍ、幅Ｈは、５〜２０ｍｍ程度であるが、秘密情報５ｓの大きさにより変動しこれに限定されない。
図１に図示のものは、両端が半円形の略矩形状にされているが、形状もこれに限定されるものでない。
本発明のスクラッチラベル１０の特徴は、ラベルの構成層である透明フィルム１に改ざん防止を目的とする屈曲した切り込み線２が少なくとも１本含まれるように形成されていることと、当該各々の切り込み線２の屈曲部に長さが０．４０〜０．５５ｍｍ程度のアンカット部３が形成されていることである。屈曲部は、切り込み線２の中で、コイン１５による進行方向に対して大きく屈曲する部分に形成される。コイン１５は、ラベルの長さ方向に対して往復させるので、往復して擦過するコインの進行方向（進む方向と戻る方向）に対して突出する屈曲部に形成するのが好ましい。例えば、図１の「Ｓ」字形状切り込み線では、上下の２箇所の屈曲部に形成されたアンカット部３が該当する。
【００１６】
切り込み線２は、透明フィルム１を打ち抜いて形成される。先端が鋭利な抜き刃を押圧してフィルムを切断したものなので実質的な線幅を持たないものである。
切り込み線２は、悪意でスクラッチラベルを剥離しようとした際に透明フィルム１の破損を生じさせ、修復不可能にする目的である。従って、直線状であっても目的に適う場合があるが、本発明では、屈曲部を有する形状が好ましく採用される。屈曲した切り込み線２は少なくとも１本含まれれば良いから、１本でも良くそれ以上であっても良い。
例として挙げれば、図１に図示されるような「Ｓ」字状形状である。「Ｓ」字状形状は、一つのスクラッチラベルに複数個（１〜１０個程度）形成できる。図１のものでは、５個の「Ｓ」字状形状が形成されている。屈曲した切り込み線に直線状の切り込み線を併用しても良い。
スクラッチラベル１０は、剥離紙４の上に形成されており、使用時は剥離紙４から剥離して使用するものである。スクラッチラベル１０の周囲の透明フィルム１と印刷されている隠蔽層６と粘着層９は打ち抜きして除去されている。
【００１７】
図２は、スクラッチラベルの断面図である。図１のほぼ横中心線断面と考えて良い。
スクラッチラベル１０は、透明フィルム１の一方側面に、削り取り可能な墨ベタインキ層７と銀インキ層８とを順に積層して隠蔽層６とし、透明フィルム１の他方側面には粘着剤層９を設けた構成にされている。粘着剤層９は剥離紙４との間に保持されるほぼ透明な粘着剤の層である。
切り込み線２は、隠蔽層６を印刷し、粘着剤層付き剥離紙４と積層した後に、スクラッチラベル１０の輪郭線１１の打ち抜きと同時に形成するので、隠蔽層６と透明フィルム１、および粘着剤層９を切断する線となる。ただし、細線なので肉眼的に表面からでは殆ど確認できない状態になっている。
スクラッチラベル１０を使用する際は、粘着剤層９から上の部分（透明フィルム１と隠蔽層６を含む部分）を剥離して、カードの秘密情報５ｓの上に被覆する。
【００１８】
カードの秘密情報５ｓを見る場合は、図４のように、コイン１５等を隠蔽層６面上に押圧して、スクラッチラベル１０の長さ方向に２〜３回往復させれば、隠蔽層が削り取られるようにされている。
【００１９】
次に、スクラッチラベルの製造方法について説明する。
スクラッチラベルの製造は、２軸延伸ポリエチレンテレフタレート（ＰＥＴ）等の透明フィルム１に、シルクスクリーン印刷法やグラビア印刷法により、隠蔽用の墨ベタインキ層７と銀インキ層８の印刷を行い隠蔽層６とする。銀インキとは、ビヒクル中にアルミニュームの微粉末が混練されているインキのことである。
墨ベタインキ層７は、５〜１０μｍの厚さに印刷するのが好ましく、銀インキ層８は、３〜５μｍの厚みに印刷するのが、隠蔽性を十分に確保する目的から好ましい。
【００２０】
透明フィルム１の隠蔽層６とは反対側面に、粘着剤層９付き剥離紙４をラミネートして積層する。粘着剤は、１０〜３０μｍの厚みに塗工されているのが好ましい。
その後、定幅に切断（スリッター）した後、スクラッチラベル１０の輪郭線１１と屈曲形状の切り込み線２とを、同一の刃に形成された型抜き刃を用い、半抜き機により平圧により打ち抜きする。切り込み線２にはアンカット部３を持たせたものを使用する。打ち抜きは、フレキシブル抜き刃を胴に組み込みしてする輪転式の打ち抜き法であっても良い。
型抜き刃には、鋼材をエッチングしさらに刃先を研磨したピナクルダイが使用される。刃の先端刃先角度は５０°程度にされる。
【００２１】
打ち抜き後、スクラッチラベル１０の周囲の余分な基材を除去する処理（この工程を製造現場では「粕上げ」という。）を行う。秘密情報カード等へのラベル貼り付けには、ラベリング装置を使用する。
【００２２】
〈材質に関する実施形態〉
本発明で使用する各種材料について説明する。
（１）透明フィルム
透明フィルム１としては、十分な強度と透明性、耐候性、耐摩擦性、印刷適性、耐薬品性等の耐久性を有するものであれば、用途に応じて種々の材料が適用できる。例えば、２軸延伸ポリエチレンテレフタレート（ＰＥＴ）、ポリエチレンナフタレートなどのポリエステル系樹脂、ポリアミド系樹脂、延伸ポリエチレンフィルム、延伸ポリプロピレン、延伸ポリスチレン、ポリ塩化ビニル、アクリル系樹脂、イミド系樹脂、ポリアリレートなどのエンジニアリング樹脂、ポリカーボネート、環状ポリオレフィン系樹脂、セロファンなどのセルロース系フィルム等の樹脂フィルムを使用できる。
厚みは、コイン等の削り取りに耐える強度が必要なことから、２０〜５０μｍ程度のものが必要になる。
【００２３】
（２）粘着剤
粘着作用をする通常の粘着剤が粘着剤層の形成に広く使用できる。
溶剤型粘着剤としては、ＮＲ、ＳＢＲ、ＩＲ、ＣＲ等のゴム系が主流であるが、エマルジョン型のアクリル系粘着剤も使用できる。その他、シリコン系、ポリビニルエーテル系等があるが何れでも使用できる。
【実施例】
【００２４】
実施例および比較例の切り込み線２として、図３の３種の「Ｓ」字形状を使用した。
図３（Ａ）は、「Ｓ」字形状切り込み線２の屈曲部に各１箇所のアンカット部３ａ，３ｂを形成したもの、図３（Ｂ）は、「Ｓ」字形状切り込み線２の屈曲部の両側に、各２箇所のアンカット部３ｃ，３ｄ，３ｅ，３ｆを形成したもの、図３（Ｃ）は、「Ｓ」字形状切り込み線２の屈曲部に各１箇所とその両脇に各２箇所の都合３箇所のアンカット部３ｇ，３ｈ，３ｉ，３ｊ，３ｋ，３ｌを形成したものである。
なお、「Ｓ」字形状の文字サイズは何れも縦４ｍｍ、幅３．８ｍｍとした。
【００２５】
（実施例１）
透明フィルム１１に、厚さ５０μｍのポリエチレンテレフタレート（ＰＥＴ）フィルム（ルミラーＴ６０＃５０）を使用した。隠蔽墨ベタインキには、シルクスクリーンインキ（ＳＯＦ７１０ブラック大日本インキ化学株式会社製）を使用して、厚さ６〜８μｍに塗工して墨ベタインキ層７を形成した。さらに、その上に隠蔽銀インキとして、シルクスクリーンインキ（ＶＡＨＳＮｏ．２シルバー昭和インク株式会社製）を使用して、厚さ３〜５μｍに塗工して銀インキ層８を形成した。
【００２６】
透明フィルム１の墨ベタインキ層７と銀インキ層８とからなる隠蔽層６の反対側面に、グラビア印刷で粘着剤（ニッセツＰＥ−１１８）を２５μｍ厚に塗工してから、厚さ５０μｍの剥離紙（ＳＰ−ＰＥＴ−５０Ｂ）をラミネートした。
その後、スリッターで１５ｍｍ幅にスリットし、ピナクルダイ抜き刃でラベルサイズに打ち抜きした。ラベルサイズ打ち抜きの際、切り込み線２も同時に形成し、その後、粕あげを行って、スクラッチラベル１を完成した。
ラベルは、図１の形状であり、サイズは、幅Ｈが７ｍｍ、長さＬが３８ｍｍのものである。
図１のように、ラベル内に切り込み線２として、５個の「Ｓ」字形状を有するものとし、アンカット部３ａ，３ｂは、図３（Ａ）のように、左右の屈曲部に長さ０．４０ｍｍのものを各１個、合計２個有する形態にした。
【００２７】
（実施例２）
実施例１と同一の材料を使用し、同一の条件で加工してスクラッチラベル１を完成した。ラベル内の切り込み線２も５個の「Ｓ」字形状を有するものとした。
ただし、アンカット部３ａ，３ｂは、図３（Ａ）のように、左右の屈曲部に長さ０．５０ｍｍのものを各１個、合計２個有する形態にした。
【００２８】
（実施例３）
実施例１と同一の材料を使用し、同一の条件で加工してスクラッチラベル１を完成した。ラベル内の切り込み線２も５個の「Ｓ」字形状を有するものとした。
ただし、アンカット部３ａ，３ｂは、図３（Ａ）のように、左右の屈曲部に長さ０．５５ｍｍのものを各１個、合計２個有する形態にした。
【００２９】
（比較例１）
実施例１と同一の材料を使用し、同一の条件で加工してスクラッチラベル１を完成した。ラベル内の切り込み線２も５個の「Ｓ」字形状を有するものとした。
ただし、アンカット部３ａ，３ｂは、図３（Ａ）のように、左右の屈曲部に長さ０．３０ｍｍのものを各１個、合計２個有する形態にした。
【００３０】
（比較例２）
実施例１と同一の材料を使用し、同一の条件で加工してスクラッチラベル１を完成した。ラベル内の切り込み線２も５個の「Ｓ」字形状を有するものとした。
ただし、アンカット部３ａ，３ｂは、図３（Ａ）のように、左右の屈曲部に長さ０．６０ｍｍのものを各１個、合計２個有する形態にした。
【００３１】
（比較例３）
実施例１と同一の材料を使用し、同一の条件で加工してスクラッチラベル１を完成した。ラベル内の切り込み線２も５個の「Ｓ」字形状を有するものとした。
ただし、アンカット部３ｃ，３ｄ，３ｅ，３ｆは、図３（Ｂ）のように、左右の屈曲部の両側に長さ０．３０ｍｍのものを各２個、合計４個有する形態にした。
【００３２】
（比較例４）
実施例１と同一の材料を使用し、同一の条件で加工してスクラッチラベル１を完成した。ラベル内の切り込み線２も５個の「Ｓ」字形状を有するものとした。
ただし、アンカット部３ｇ，３ｈ，３ｉ,３ｊ，３ｋ，３ｌは、図３（Ｃ）のように、左右の屈曲部とその両側に長さ０．３０ｍｍのものを各３個、合計６個有する形態にした。
【００３３】
実施例１〜４、比較例１〜４により得られたスクラッチラベル１０を表面がＰＥＴ製シートからなるカードの秘密情報５ｓの上に被覆し、秘密情報カード２０を製造した。
このカードについて、以下の試験を行った。
（１）試験１；秘密情報カード２０のスクラッチラベル１０をピンセットで剥離する試験を行い、隠蔽層６付き透明フィルム１の破断（破れるか否か）性を確認した。
不正な動作で破れる結果が好ましいので、破れるものを「○」、破れ難いものを「×」とした。
（２）秘密情報カード２０のスクラッチラベル１０の隠蔽層６部分をコイン１５で押圧しながらラベルの長さ方向に往復で３回削る（擦過する）動作を行い、スクラッチの適性試験を行った。
スクラッチで隠蔽層６付き透明フィルム１が破れない結果が好ましいので、破れないものを「○」、破れるものを「×」とした。
【００３４】
以上による試験結果を表１に示す。
【表１】
2016153858.tif 000003
【００３５】
表１の結果から、試験１については、切り込み線２の１屈曲部に対するアンカット部３が２箇所以上になる場合は、透明フィルム１の破断性が低下し、不正行為防止に効果しないことがみとめられた。ただし、１屈曲部に対するアンカット部３が１箇所であっても、アンカット部３の長さが０．６ｍｍ以上になる場合は、透明フィルム１の破断性が低下することが認められた。
また、試験２については、アンカット部３が１箇所で、長さが０．３ｍｍ以下の場合は、スクラッチにより透明フィルム１が破れることが認められ、その他の場合は透明フィルム１の破れは認められなかった。
【００３６】
以上の結果から、１屈曲部に対するアンカット部３の数は、１箇所が好ましく、その長さが、０．４０〜０．５５ｍｍの範囲であることが明らかになった。
【産業上の利用可能性】
【００３７】
本発明のスクラッチラベルは、カード以外の各種抽選券や、クイズ用途に使用できることは明らかであり、本発明の適用外とするものではない。
【符号の説明】
【００３８】
１  透明フィルム
２  切り込み線
３  アンカット部
４  剥離紙
５ｓ  秘密情報
６  隠蔽層
７  墨ベタインキ層
８  銀インキ層
９  粘着剤層
１０  スクラッチラベル
１５  コイン
２０  カード
【図１】
2016153858.tif 000004
【図２】
2016153858.tif 000005
【図３】
2016153858.tif 000006
【図４】
2016153858.tif 000007
【図５】
2016153858.tif 000008